【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
膝関節置換手技において患者の大腿骨の切除された遠位面上に切断ブロックを位置決めするためのガイド（１０）であって、
前記大腿骨の前記切除された遠位面上に位置付けるための第１の本体部（４０）であって、前記大腿骨の後顆に係合するための一対の後側に延びる足部（４２）を備える、第１の本体部と、
前記大腿骨の前記切除された遠位面上に位置付けるための第２の本体部（２０）であって、前記第２の本体部は、締結具ピンを位置決めするための少なくとも一対のロケータ穴（２６、２８、３０）を備え、前記締結具ピンにより、前記切断ブロックが前記大腿骨の前記切除された遠位面に締結され得る、第２の本体部とを備え、
前記第１の本体部は、前記第１の本体部の前記足部が、前記後顆に係合されると、前記第２の本体部を前記患者の解剖学的特徴部に対して角度付けるための複数の不連続の位置で、前記第２の本体部に取り外し可能に取り付け可能であり、
前記ガイドが、湾曲スロット（３８）と係合部材（５０）とを更に備え、前記係合部材が、前記第１の本体部を前記第２の本体部に取り外し可能に取り付けるための前記スロットと係合し、前記第１の本体部が前記第２の本体部に取り付けられると、前記係合部材が、前記複数の不連続の位置のそれぞれにおいて、前記スロットに沿った対応の位置で受容される、ガイド。
【請求項２】
前記スロットは、前記第２の本体部が前記切除された遠位面上に位置付けられると、前記大腿骨の前記切除された遠位面に対して実質的に平行である平面内に延びる、請求項１に記載のガイド。
【請求項３】
前記係合部材は、前記第１の本体部が前記第２の本体部に取り付けられると、前記スロットの内表面に対して付勢するための、前記係合部材の外表面上に設けられた係合特徴部を含む、請求項１又は請求項２に記載のガイド。
【請求項４】
前記スロットが、前記第２の本体部に設けられており、前記係合部材が、前記第１の本体部上に設けられている、請求項１〜３のいずれか一項に記載のガイド。
【請求項５】
前記スロットが、前記第１の本体部に設けられており、前記係合部材が、前記第２の本体部上に設けられている、請求項１〜３のいずれか一項に記載のガイド。
【請求項６】
前記第１の本体部が、前記患者の左膝関節で使用するための第１の組の１つ又は２つ以上の位置で、及び前記患者の右膝関節で使用するための第２の組の１つ又は２つ以上の位置で、前記第２の本体部に取り外し可能に取り付け可能である、請求項１〜５のいずれか一項に記載のガイド。
【請求項７】
前記第１の本体部が、前記患者の前記左膝関節で使用するための第１の複数の位置で、及び前記患者の前記右膝関節で使用するための第２の複数の位置で、前記第２の本体部に取り外し可能に取り付け可能である、請求項６に記載のガイド。
【請求項８】
前記位置のうちの少なくとも１つが、前記左膝関節及び前記右膝関節の両方で使用するためのものである、請求項６又は請求項７に記載のガイド。
【請求項９】
前記左膝関節及び前記右膝関節の両方で使用するための前記位置において、前記第１の本体部が、前記第２の本体部に対して中心に置かれている、請求項８に記載のガイド。
【請求項１０】
前記第１の本体部が、前記第１の本体部の前記複数の不連続の位置のそれぞれについての前記第２の本体部の回転角度を示すための指示器（４６）を備える、請求項１〜９のいずれか一項に記載のガイド。
【請求項１１】
前記第２の本体部が、前記第１の本体部上の前記指示器によって示される前記回転角度を読み取るための１つ又は２つ以上のマーカー（３６）を備える、請求項１０に記載のガイド。
【請求項１２】
前記１つ又は２つ以上のマーカーが、前記回転角度を読み取るために、前記マーカーを前記患者のどちらの膝関節に使用するべきかに関する表示を含む、請求項１１に記載のガイド。
【請求項１３】
１つ又は２つ以上のピン（６７）と、前記第１の本体部が前記第１の本体部に取り付けられると、前記ピンを受容するための複数の対応する穴（６６）とを備え、前記穴が、前記複数の不連続の位置のそれぞれにおける前記第１の本体部の取り付けを可能にするように位置付けられている、請求項１〜１２のいずれか一項に記載のガイド。
【請求項１４】
１つ又は２つ以上の隆起部（５６）と、前記第１の本体部が前記第１の本体部に取り付けられると、前記隆起部を受容するための複数の対応する溝部（４８）とを備え、前記溝部が、前記複数の不連続の位置のそれぞれにおける前記第１の本体部の取り付けを可能にするように位置付けられている、請求項１〜１３のいずれか一項に記載のガイド。
【請求項１５】
前記第２の本体部は、前記第１の本体部の前記足部が、前記後顆に係合されている間に、前記患者の解剖学的特徴部に対する前記第２の本体部の角度を決定するための線状マーキング（５４）を備える、請求項１〜１４のいずれか一項に記載のガイド。
【請求項１６】
前記第２の本体部は、
前記第１の本体部が取り外し可能に取り付け可能である後側本体部（２）と、
前側本体部（４）と、を備え、
前記ガイドが、前記前側本体部上に取り外し可能に装着されたスタイラス（８）を更に備え、
前記第２の本体部の前記前側本体部が、前記スタイラスの先端部（１２）を移動させて、前記大腿骨の前側皮質に係合させるために、前記第２の本体部の前記後側本体部に摺動可能に装着される、請求項１〜１５のいずれか一項に記載のガイド。
【請求項１７】
請求項１〜１６のいずれか一項に記載のガイドと少なくとも１つの更なる前記第１の本体部とを備える外科用キットであって、各第１の本体部は、前記第１の本体部の前記足部が前記大腿骨の前記後顆に係合されると、前記ガイドの前記第２の本体部を前記患者の解剖学的特徴部に対して角度付けするための複数の不連続の位置で、前記第２の本体部に取り外し可能に取り付け可能である、外科用キット。
【手続補正２】
【補正対象書類名】明細書
【補正対象項目名】０００８
【補正方法】変更
【補正の内容】
【０００８】
国際公開第ＷＯ２０１４／００６３６０号は、骨上の基準点から第１及び第２の測定点までの第１及び第２の距離をそれぞれ測定するために、整形外科的手技中に使用するための測定器具を記載している。この測定器具は、第１の距離を表示するための第１の目盛りと、第２の距離を表示するための第２の目盛りとを有する。これは、測定された第１の距離に応じて第２の目盛りに対して選択された位置で第１の距離が測定された後、第２の目盛りに対して位置付けられ得る、ユーザに見える第２の目盛りの長さを制限するためのマスクを含む。
国際公開第ＷＯ２０１１／１４１７２３Ａ１号は、第１の面を有する第１の構成要素と、第１の構成要素に連結される第２の構成要素と、を含み、第１及び第２の構成要素が、互いに対して回転することができる、外科器具を記載している。この器具は、第２の構成要素に連結される第２の面を有する第３の構成要素を含むロック機構を更に含む。第２の構成要素に対する第３の構成要素の動きは、第２の面を第１の面と係合又は係合解除させて、第１の構成要素と第２の構成要素との間の回転を選択的に制限または許可するように構成される。面のうち一方は、第１の構成要素と第２の構成要素との間の回転の中心の周りで第１の角度ピッチで離間した第１の配列の２つ又は３つ以上の溝又は歯と、第１の角度ピッチに対応しない少なくとも１つの更なる溝又は更なる歯と、を含む。面のうち他方は、第１の構成要素と第２の構成要素との間の第１の範囲の回転位置内の２つ又は３つ以上の所定の回転位置に、回転を選択的に制限するよう、第１の配列の溝又は歯のうちの１つに係合するように構成された、第１の歯又は第１の溝を含む。面のうちのこの他方は、更なる所定の回転位置で第１の構成要素と第２の構成要素との間の回転を選択的に制限するように、少なくとも１つの更なる溝又は更なる歯に係合するように構成されている。